(57)【特許請求の範囲】
【請求項１】
下側が開口した器具本体と、前記開口を閉塞するように前記器具本体に着脱自在に取着されるカバーと、前記器具本体の内部に配設されるランプが装着されるランプソケットと、前記ランプソケットを保持する天板と、前記器具本体に取着される防虫用パッキンとを備え、
前記カバーは、前記カバーを前記器具本体に取着するための取付ばねを有し、前記取付ばねは、Ｕ字状に形成されて両側のばね部の先端が前記カバーに取着され、且つ前記両側のばね部の中間部位が互いに離間する方向へ突出するような形状に形成された線ばねからなり、
前記器具本体の側壁部には、前記器具本体を造営材に取着するための取付金具が挿通する挿通溝と、カバー取付状態で前記両側のばね部の突出部位に下側からそれぞれ係合する係止部と、前記カバーを取付状態から下側に移動させた際に前記取付ばねの曲がり部が係止される仮保持部とが設けられ、
前記防虫用パッキンは、前記カバーを着脱する際に、前記側壁部内面の法線方向において前記取付ばねと重ならない位置に、前記挿通溝を閉塞するようにして取着されており、前記防虫用パッキンの側面部は、前記カバーを取着する際に、前記取付ばねをガイドするガイド部を構成することを特徴とする照明器具。
【発明の詳細な説明】
【技術分野】
【０００１】
本発明は、照明器具に関するものである。
【背景技術】
【０００２】
従来より、器具本体内部への虫の侵入を防止した天井埋込型の照明器具が提供されている（例えば特許文献１参照）。この照明器具Ｓ’は、図４に示すように下側が開口した有底円筒状の器具本体１０１と、上記開口を閉塞する形で器具本体１０１に取着される透光性のカバー１０２と、器具本体１０１の内部に配設される蛍光ランプ１１３が装着されるランプソケット１０３と、ランプソケット１０３を保持する天板１０４とを備えている。器具本体１０１の側壁部１０１ａには、器具本体１０１を天井に取り付けるための１組の取付金具１０５、１０５がそれぞれ挿通する略Ｔ字状の挿通溝１０１ｃ、１０１ｃが対向する形で設けられ、さらに各挿通溝１０１ｃの近傍には、カバー１０２を器具本体１０１に取り付けるための取付ばね１０６が係合する２個１組の係止爪１０１ｄ、１０１ｄが互いに対向する形で設けられている。また、係止爪１０１ｄ、１０１ｄの下側には、カバー１０２を取り外す際に取付ばね１０６が係止される仮保持爪１０１ｅが設けられている。ここに、器具本体１０１の側壁部１０１ａの内面には、図５（ａ）に示すように各挿通溝１０１ｃをそれぞれ閉塞する形で防虫用パッキン１１１（図５（ｂ）参照）が取着されるようになっており、さらに当該防虫用パッキン１１１を取着した状態では係止爪１０１ｄに干渉するため、各防虫用パッキン１１１の係止爪１０１ｄに対応する部位には係止爪１０１ｄを挿通させる挿通穴１１１ａが貫設されている。
【特許文献１】特開２００６−２３６６６１号公報（段落［００１４］−段落［００１９］、及び、第１図）
【発明の開示】
【発明が解決しようとする課題】
【０００３】
上述の図４および図５に示した照明器具Ｓ’では、カバー１０２に設けた取付ばね１０６が係合する係止爪１０１ｄ、１０１ｄの周りに防虫用パッキン１１１が配置されることになり、さらに当該防虫用パッキン１１１はその厚みが厚いため、カバー取付時には取付ばね１０６が防虫用パッキン１１１に接触したり、乗り上げてしまうため取り付け難いものであった（図６（ａ）参照）。また、カバー取り外し時には、取付ばね１０６が防虫用パッキン１１１に乗り上げてしまうため、仮保持爪１０１ｅへの掛かり代が防虫用パッキン１１１の厚み分だけ少なくなり、その結果取付ばね１０６が仮保持爪１０１ｅに引っかかり難いものであった。（図６（ｂ）参照）。
【０００４】
本発明は上記問題点に鑑みて為されたものであり、その目的とするところは、器具本体内部への虫の侵入を防止できるとともに、器具本体に対してカバーを容易に且つ確実に着脱できる照明器具を提供することにある。
【課題を解決するための手段】
【０００５】
請求項１の発明は、下側が開口した器具本体と、開口を閉塞するように器具本体に着脱自在に取着されるカバーと、器具本体の内部に配設されるランプが装着されるランプソケットと、ランプソケットを保持する天板と、器具本体に取着される防虫用パッキンとを備え、カバーは、カバーを器具本体に取着するための取付ばねを有し、取付ばねは、Ｕ字状に形成されて両側のばね部の先端がカバーに取着され、且つ両側のばね部の中間部位が互いに離間する方向へ突出するような形状に形成された線ばねからなり、器具本体の側壁部には、器具本体を造営材に取着するための取付金具が挿通する挿通溝と、カバー取付状態で両側のばね部の突出部位に下側からそれぞれ係合する係止部と、カバーを取付状態から下側に移動させた際に取付ばねの曲がり部が係止される仮保持部とが設けられ、防虫用パッキンは、カバーを着脱する際に、側壁部内面の法線方向において取付ばねと重ならない位置に、挿通溝を閉塞するようにして取着されており、防虫用パッキンの側面部は、カバーを取着する際に、取付ばねをガイドするガイド部を構成することを特徴とする。
【発明の効果】
【０００７】
請求項１の発明によれば、防虫用パッキンにより挿通溝を閉塞することで当該挿通溝から虫が器具本体の内部に侵入するのを防止することができ、またカバーを器具本体に取着する際に取付ばねが防虫用パッキンに接触したり、乗り上げることがないから取り付けが容易になり、さらにカバーを器具本体から取り外す際にも、取付ばねが防虫用パッキンに乗り上げることがないから取付ばねを仮保持部に確実に係止させることができるという効果がある。
【０００８】
さらに、防虫用パッキンの側面部によりガイド部を構成しているので、取付ばねをガイド部に沿って移動させることでカバーを器具本体に容易に取着することができ、また取付ばねをガイドするためのガイド部を別に設けなくてもいいので、部品点数を削減することができるという効果がある。
【発明を実施するための最良の形態】
【０００９】
以下に本発明に係る照明器具の実施形態を図１〜図３に基づいて説明する。本発明に係る照明器具Ｓは、例えば天井に設けた埋込孔（図示せず）を通して埋込配設され、室内や廊下や軒下などを照明するためのダウンライトとして用いられる。なお、以下の説明では特に断りがない限り、図３に示す向きにおいて上下の方向を規定する。ここにおいて、図１〜図３では図示を簡略化するためにランプを省略しているが、実際には図４中のランプ１１３のような片口金型ランプが取り付けられる。
【００１０】
本実施形態の照明器具Ｓは、図１〜図３に示すように天井に設けた埋込孔（図示せず）を通して埋込配設される器具本体１と、器具本体１の開口部１ｆを閉塞するように器具本体１に取着される透光性を有するカバー２と、ランプが装着されるランプソケット３と、ランプソケット３を保持する天板４と、器具本体１に取着される防虫用パッキン１１とを備えている。
【００１１】
器具本体１は、下側に開口部１ｆを有する有底円筒状に形成され、器具本体１の側壁部１ａには、上下方向に沿って開口した略Ｔ字状の挿通溝１ｃ、１ｃが径方向において互いに対向する形でそれぞれ貫設されている。各挿通溝１ｃには、器具本体１を天井に固定するための取付金具５が上下方向に移動自在に設けられており、各取付金具５は上下方向における所望の位置で固定できるようになっている。すなわち、器具本体１を天井に固定する際には２個の取付金具５を用いて固定することになる。
【００１２】
さらに、器具本体１の側壁部１ａにおいて各挿通溝１ｃの近傍には、カバー２を器具本体１に取り付けるための取付ばね６が係合する２個１組の係止爪１ｄ、１ｄが、器具本体１の側壁部１ａの一部を切り起こすことで略Ｌ字状に形成され、各係止爪１ｄの開口側が互いに対向する形で配置されている。また、係止爪１ｄ、１ｄの下側には、カバー２を取り外す際に取付ばね６が係止される仮保持爪１ｅが、同様に器具本体１の側壁部１ａの一部を切り起こすことで略Ｌ字状に形成され、開口側が上側となるように配置されている。ここに、上述した２個１組の係止爪１ｄ、１ｄにより係止部が構成され、仮保持爪１ｅにより仮保持部が構成されている。なお、側壁部１ａの外側面には、上述した２個１組の係止爪１ｄ、１ｄおよび仮保持爪１ｅに対応する部位に、例えばポリエステルフィルムからなる防虫シール（図示せず）が取着されており、切り起こし部分から虫が器具本体１の内部に侵入できないようになっている。
【００１３】
ここにおいて、器具本体１の開口部１ｆの開口端縁には外側に向かって延出する鍔部１ｂ（図１（ｃ）参照）が全周に渡って設けられており、この鍔部１ｂにはリング状に形成された合成樹脂製のパッキン１２が全周に渡って取着されている。なお、上述した各取付金具５は、器具本体１内に収納自在に設けられており、且つ、図示しないばね体により外側に弾性付勢されている。而して、器具本体１を天井に埋込配設する際には、両取付金具５、５を収納させた状態で器具本体１を埋込孔に挿入し、挿入後両取付金具５、５が拡開することで器具本体１が天井に仮固定されるようになっている。そして、器具本体１に取着したパッキン１２を天井材（図示せず）の下面に当接させた状態で器具本体１の内側から各取付金具５の後端側の操作部（図示せず）を押し下げると、各取付金具５の先端部とパッキン１２との間で天井材が保持され、器具本体１が天井に固定される。
【００１４】
カバー２は、図１（ａ）および図３に示すように、上下方向両端部が開口する略円筒状の枠体７と、下側開口を閉塞する形で枠体７に取着されるパネル８と、枠体７とパネル８の間に配設されるパッキン９と、カバー２を器具本体１に取り付けるための２個１組の取付ばね６、６とで構成されている。
【００１５】
パネル８は、例えば透光性を有するガラス製であって略円板状に形成されており、ランプ（図示せず）から照射された光が当該パネル８を透過することで外部に照射されるようになっている。また、パッキン９は、例えばシリコーンゴムによりリング状に形成され、パネル８および器具本体１に取着したパッキン１２の双方にパッキン９を密着させることでカバー２と器具本体１の密封性を高めている。
【００１６】
取付ばね６は、例えばステンレス製の線ばねを略Ｕ字状に折り曲げ形成した弾性ばね体からなり、一端側（図３中の上側）で連結された両側の線ばね部６ａ、６ａの他端側（図３中の下側）が枠体７に回転自在に取り付けられ、両線ばね部６ａ、６ａの中間部位は外側（互いに離間する方向）に突出するよう曲げ形成されている。なお、取付ばね６は２個１組で用いられ、両取付ばね６、６は枠体７の径方向において互いに対向する形でそれぞれ枠体７に取り付けられる。ここにおいて、各取付ばね６の突出部位６ｂ（線ばね部６ａの中間部位）間の寸法は、上述した係止爪１ｄ、１ｄ間の寸法よりも大きい寸法に設定されており、また各取付ばね６の枠体７への取付部位（線ばね部６ａの他端側）から突出部位６ｂまでの寸法は、係止爪１ｄから開口部１ｆまでの寸法よりも大きい寸法に設定されている。
【００１７】
天板４は、略矩形板状の取付片４ａと、取付片４ａの先端側（図１（ａ）中の右側）から斜め下方に傾斜する傾斜片４ｂとが一体に形成されており、取付片４ａに設けられた適宜の取付手段により天板４が器具本体１の上面（底面）に取り付けられるようになっている。また、取付片４ａには、その一部を下方に折り曲げて形成された折曲片４ｃが一体に設けられており、この折曲片４ｃには端子台１０が取り付けられている。なお、端子台１０の本体側面には、電線（図示せず）が接続される複数（図１（ａ）では４個）の電線接続孔１０ａが設けられており、本体内部には各電線接続孔１０ａを臨むように周知の速結構造の端子が収納されている。而して、各電線接続孔１０ａに電線を挿入するだけで芯線が対応する端子に接続されるようになっている。
【００１８】
一方、傾斜片４ｂには、図１（ａ）および図２に示すようにランプソケット３が取り付けられており、ランプの装着部（図示せず）が器具本体１の側壁部１ａに設けたランプ挿入孔（図示せず）に臨むように配置される。そして、ランプソケット３に装着されたランプは、そのランプ軸が斜め下方となるように器具本体１の内部に配設される。
【００１９】
防虫用パッキン１１は、例えば発泡シリコーンゴムからなり、図１（ｂ）に示すように縦長の略矩形板状に形成されている。また、防虫用パッキン１１において係止爪１ｄに対応する部位には、当該係止爪１ｄを避けるための切欠部１１ａが幅方向（図１（ｂ）中の左右方向）両側に設けられている。すなわち、本実施形態の防虫用パッキン１１は対称な形状に形成され、上下方向を逆にして取り付けた場合でも取り付けられるようになっており、施工ミスを防止できるようになっている。なお、本実施形態の照明器具Ｓでは、器具本体１を天井に固定した状態において取付金具５の上記操作部が器具本体１の内方に張り出しているが、本実施形態の防虫用パッキン１１は伸縮性を有しているため、自在に伸縮することで上記操作部をカバーしつつ側壁部１ａに密着して取り付けられるようになっている。
【００２０】
ここで、カバー２を器具本体１に着脱する際の取付ばね６の動作について説明する。まず、各取付ばね６の曲がり部６ｃをそれぞれ対応する仮保持爪１ｅに引っ掛けて、カバー２を器具本体１に仮保持させる。次に、この状態からカバー２を上方に押し上げると、取付ばね６の両側の線ばね部６ａ、６ａがそれぞれ対応する係止爪１ｄ、１ｄの内側面に接触し、さらにカバー２を上方に押し上げると、両線ばね部６ａ、６ａが内側（互いに近づく方向）に撓められる。なおこのとき、図３に示すように、一方（防虫用パッキン１１に近い側）の線ばね部６ａが中間部の突出部位６ｂで防虫用パッキン１１の側面部に接触し、この側面部に沿って上方（図３中の矢印Ａ方向）に移動することになる。すなわち、本実施形態では、防虫用パッキン１１の側面部により取付ばね６のガイド部を構成しており、取付ばね６を構成する一方の線ばね部６ａを、上記側面部に沿って移動させることでカバー２を器具本体１に容易に取り付けることができ、また取付ばね６をガイドするためのガイド部を別に設けなくてもいいので、部品点数を削減することができる。
【００２１】
その後、さらにカバー２を上方に押し上げて、両線ばね部６ａ、６ａの突出部位６ｂ、６ｂがそれぞれ対応する係止爪１ｄ、１ｄを越えると、両線ばね部６ａ、６ａが外側（互いに離間する方向）に拡開し、両線ばね部６ａ、６ａが外側に拡開するばね力によってカバー２が上方に引き上げられ、パッキン１２の下面に当接した位置で係止される。そして、カバー２を取り付けた状態では、各係止爪１ｄが対応する線ばね部６ａの突出部位６ｂに下側から係合している。
【００２２】
逆に、カバー２を取り外す場合には、カバー２を下方に引っ張ることで両線ばね部６ａ、６ａが内側に撓められ、両線ばね部６ａ、６ａの突出部位６ｂ、６ｂがそれぞれ対応する係止爪１ｄを越えると、両線ばね部６ａ、６ａが外側に拡開し、両線ばね部６ａ、６ａが外側に拡開するばね力によってカバー２が下方に押し下げられ、各取付ばね６の曲がり部６ｃが対応する仮保持爪１ｅと係合してカバー２が器具本体１に仮保持される。その後、各取付ばね６をそれぞれ仮保持爪１ｅから取り外すと、カバー２が器具本体１から取り外される。
【００２３】
次に、本実施形態の照明器具Ｓの施工手順について説明する。なお、以下の説明では、ランプソケット３および端子台１０が予め天板４に取り付けられているものとし、さらに天板４が予め器具本体１に取り付けられているものとして説明する。また、ランプソケット３と端子台１０の間も図示しない電線により予め接続されているものとする。
【００２４】
まず、天井側に設けた埋込孔（図示せず）から下方に引き出した電源線（図示せず）の各芯線を、端子台１０の各電線接続孔１０ａに挿入して対応する速結端子にそれぞれ接続する。次に、上記埋込孔に下方から器具本体１を挿入した後、器具本体１の側壁部１ａに設けた取付金具５、５と器具本体１の開口端縁に取着したパッキン１２との間で天井材を保持させて、器具本体１を天井に固定する。
【００２５】
その後、各防虫用パッキン１１を、側壁部１ａ内面の所定位置（カバー２を器具本体１に着脱する際に、当該内面の法線方向において対応する取付ばね６と重ならない位置）に、対応する挿通溝１ｃを閉塞するようにして取り付ける。このとき、一方（挿通溝１ｃに近い側）の係止爪１ｄが防虫用パッキン１１に設けた切欠部１１ａ内に配置される。さらに、ランプをランプソケット３に装着した後、カバー２を器具本体１の下側開口（開口部１ｆ）を覆うように被着すると、各取付ばね６が器具本体１の側壁部１ａに設けた２個１組の係止爪１ｄ、１ｄにそれぞれ係合することでカバー２が器具本体１に取り付けられ、照明器具Ｓの施工が完了する。
【００２６】
さらに、ランプを交換する場合には、カバー２を下側に引き下げて各取付ばね６と対応する係止爪１ｄ、１ｄの係合状態を解除すると、各取付ばね６の曲がり部６ｃが係止爪１ｄ、１ｄの下側に設けた仮保持爪１ｅにそれぞれ係止され、カバー２が器具本体１に仮保持される。そして、各取付ばね６をそれぞれ仮保持爪１ｅから取り外してカバー２を器具本体１から取り外した後、既設のランプを取り外すとともに新しいランプをランプソケット３に装着する。最後に、器具本体１の開口部１ｆを覆うようにカバー２を被着すると、上述のように各取付ばね６が対応する係止爪１ｄ、１ｄにそれぞれ係止されることでカバー２が器具本体１に取り付けられ、ランプの交換が完了する。
【００２７】
而して、本実施形態の照明器具Ｓによれば、防虫用パッキン１１により挿通溝１ｃを閉塞することで当該挿通溝１ｃから虫が器具本体１の内部に侵入するのを防止することができ、またカバー２を器具本体１に取着する際に取付ばね６が防虫用パッキン１１に接触したり、乗り上げることがないから、取り付けが容易になるという利点もある。さらに、カバー２を器具本体１から取り外す際にも取付ばね６が防虫用パッキン１１に乗り上げることがなく、図１（ｃ）に示すように仮保持爪１ｅへの掛かり代を確保することができるので、取付ばね６を仮保持爪１ｅに確実に係止させることができる。
【図面の簡単な説明】
【００２８】
【図１】本実施形態の照明器具を示し、（ａ）は一部省略せる分解斜視図、（ｂ）は同上に用いられる防虫用パッキンの正面図、（ｃ）は同上の要部詳細図である。
【図２】同上の斜視図である。
【図３】同上の器具本体にカバーを取り付ける際の説明図である。
【図４】従来例の照明器具の分解斜視図である。
【図５】（ａ）は同上のカバーを取り外した状態の斜視図、（ｂ）は同上に用いられる防虫用パッキンの正面図である。
【図６】（ａ）は同上の器具本体にカバーを取り付ける際の説明図、（ｂ）は同上の器具本体からカバーを取り外す際の説明図である。
【符号の説明】
【００２９】
１  器具本体
１ａ  側壁部
１ｃ  挿通溝
１ｄ  係止爪（係止部）
１ｅ  仮保持爪（仮保持部）
１ｆ  開口部
２  カバー
３  ランプソケット
４  天板
５  取付金具
６  取付ばね
６ａ  線ばね部
６ｂ  突出部位
６ｃ  曲がり部
１１  防虫用パッキン
Ｓ  照明器具
【図１】
0005174533.tif 000002
【図２】
0005174533.tif 000003
【図３】
0005174533.tif 000004
【図４】
0005174533.tif 000005
【図５】
0005174533.tif 000006
【図６】
0005174533.tif 000007